(57)【要約】【課題】管ライニング材を円滑に管路内に引き込むことが可能な管ライニング材引き込み装置及びその引き込み方法を提供する。【解決手段】シャフトを中心にして回転自在なローラー２５の一端並びに他端にそれぞれローラーに対して独立して回転可能な車輪２７、２７’を取り付けてなる複数の引き込みユニット２１のそれぞれを柔軟な連結具を介して連結する。管ライニング材１０の先端１０ａが最初の引き込みユニットに取り付けられるので、引き込みユニットをロープ３０で引っ張ると、各引き込みユニット２１並びに管ライニング材は順次本管３内に移動する。その後、管ライニング材と引き込みユニットの結合を解除し、各引き込みユニットをマンホール２に回収すると、管ライニング材は、本管の底部に引き下ろされ、本管内への引き込みが完了する。【選択図】図１
2010151202.tif 000002
【特許請求の範囲】
【請求項１】
管路を補修するための管ライニング材を管路内に引き込むための管ライニング材引き込み装置であって、
シャフトを中心にして回転自在なローラーの一端側並びに他端側にそれぞれ該ローラーに対して独立して回転可能な車輪を取り付けてなる複数の引き込みユニットと、
各引き込みユニットをそれぞれ連結するための可撓性で柔軟な連結具と、を備え、
引き込みユニットのローラー上に管ライニング材を載せ、引き込みユニットを各車輪が管路内壁面に摩擦接触するように管路に配置して、引き込みユニット又は管ライニング材を引っ張ることにより管ライニング材を管路内に引き込むことを特徴とする管ライニング材引き込み装置。
【請求項２】
前記連結具が柔軟なロープであり、ロープで連結された各引き込みユニットが束ねられ、先端の引き込みユニットを引っ張ることにより束ねられた引き込みユニットが順次解きほぐされ、後続の他の引き込みユニットがロープを介して引っ張られ管路内に引き込まれることを特徴とする請求項１に記載の管ライニング材引き込み装置。
【請求項３】
前記車輪は、シャフトに回転自在に取り付けられることを特徴とする請求項１又は２に記載の管ライニング材引き込み装置。
【請求項４】
前記ロープはシャフトに巻きつけられて固定されることを特徴とする請求項２又は３に記載の管ライニング材引き込み装置。
【請求項５】
管路を補修するための管ライニング材を管路内に引き込むための管ライニング材引き込み方法であって、
シャフトを中心にして回転自在なローラーの一端側並びに他端側にそれぞれ該ローラーに対して独立して回転可能な車輪を取り付けてなる複数の引き込みユニットのそれぞれを可撓性で柔軟な連結具を介して連結し、
連結された引き込みユニットを引き込みユニットの各車輪が管路内壁面に摩擦接触するように管路に配置するとともに、該配置した引き込みユニットのローラー上に管ライニング材の一端を取り外し可能に取り付け、
引き込みユニットを引っ張ることにより管ライニング材を管路内に引き込むことを特徴とする管ライニング材引き込み方法。
【請求項６】
管ライニング材の管路内への引き込みが完了したとき、引き込みユニットを引っ張ることにより車輪を管路内壁面に対して回転させるとともに、ローラーを管ライニング材に対して回転させて各引き込みユニットを管ライニング材から引き抜くことを特徴とする請求項５に記載の管ライニング材引き込み方法。
【請求項７】
管路を補修するための管ライニング材を管路内に引き込むための管ライニング材引き込み方法であって、
シャフトを中心にして回転自在なローラーの一端側並びに他端側にそれぞれローラーに対して独立して回転可能な車輪を取り付けてなる複数の引き込みユニットのそれぞれを可撓性で柔軟な連結具を介して連結し、
連結された引き込みユニットを引き込みユニットの各車輪が管路内壁面に摩擦接触するように管路に配置して引き込みユニットを引っ張ることにより、各引き込みユニットを順次管路内に敷設し、
前記敷設した引き込みユニットのローラー上に管ライニング材を載せて引っ張ることにより管ライニング材を管路内に引き込むことを特徴とする管ライニング材引き込み方法。
【発明の詳細な説明】
【技術分野】
【０００１】
本発明は、管路を補修するための管ライニング材を管路内に引き込むための管ライニング材引き込み装置及びその引き込み方法に関する。
【背景技術】
【０００２】
地中に埋設された上水道、下水道等の管路が老朽化した場合、管路を地中から掘出することなく、その内周面にライニングを施して管路を補修する管ライニング工法が知られている。
【０００３】
たとえば、従来から、熱硬化性樹脂を含浸させた筒状の管ライニング材をマンホールから本管あるいは枝管内に挿入し、管ライニング材を膨張させて管壁に押し当てた状態で、管ライニング材を加温し、そこに含浸された熱硬化性樹脂を硬化させて管路内周面をライニングし補修している。
【０００４】
管ライニング材を管路に挿入するのに、管ライニング材を反転させて管路内に挿入する工法と、管ライニング材を引き込んで管路内に挿入する工法が実施されており、反転挿入工法では、一箇所から管ライニング材を挿入できるのに対して、引き込み工法では、他方の箇所から管ライニング材を引っ張る必要があるとされている。
【０００５】
引き込み工法では、通常、管路内にスリップシートと呼ばれる滑りやすいプラスチックシートを敷き、このスリップシート上に管ライニング材を載せ、管ライニング材を他方から引っ張ってスリップシート上で滑らせながら管ライニング材を管路に挿入している。
【０００６】
また、管ライニング材全体を保護ライナーで包み、管ライニング材を引き込むことも行われている（特許文献１）。
【特許文献１】特開２００７−２５３５０９号公報
【発明の開示】
【発明が解決しようとする課題】
【０００７】
しかしながら、従来、管ライニング材を管路に引き込むために、スリップシートを用いる場合には、スリップシートの敷設が困難であったり、スリップの滑りが悪くて管ライニング材を損傷させてしまう、という欠点があり、また管ライニング材の全体を袋などで包んで管路内に引き込む場合には、引き込みが完了した後、管ライニング材を包んでいた袋を引き剥がす必要がある、などの問題があった。
【０００８】
本発明は、このような問題点を解消するためになされたもので、管ライニング材を円滑に管路内に引き込むことが可能な管ライニング材引き込み装置及びその引き込み方法を提供することを課題とする。
【課題を解決するための手段】
【０００９】
本発明（請求項１）は、
管路を補修するための管ライニング材を管路内に引き込むための管ライニング材引き込み装置であって、
シャフトを中心にして回転自在なローラーの一端側並びに他端側にそれぞれ該ローラーに対して独立して回転可能な車輪を取り付けてなる複数の引き込みユニットと、
各引き込みユニットをそれぞれ連結するための可撓性で柔軟な連結具と、を備え、
引き込みユニットのローラー上に管ライニング材を載せ、引き込みユニットを各車輪が管路内壁面に摩擦接触するように管路に配置して、引き込みユニット又は管ライニング材を引っ張ることにより管ライニング材を管路内に引き込むことを特徴とする。
【００１０】
また、本発明（請求項５）は、
管路を補修するための管ライニング材を管路内に引き込むための管ライニング材引き込み方法であって、
シャフトを中心にして回転自在なローラーの一端側並びに他端側にそれぞれ該ローラーに対して独立して回転可能な車輪を取り付けてなる複数の引き込みユニットのそれぞれを可撓性で柔軟な連結具を介して連結し、
連結された引き込みユニットを引き込みユニットの各車輪が管路内壁面に摩擦接触するように管路に配置するとともに、該配置した引き込みユニットのローラー上に管ライニング材の一端を取り外し可能に取り付け、
引き込みユニットを引っ張ることにより管ライニング材を管路内に引き込むことを特徴とする。
【００１１】
また、本発明（請求項６）は、
管路を補修するための管ライニング材を管路内に引き込むための管ライニング材引き込み方法であって、
シャフトを中心にして回転自在なローラーの一端側並びに他端側にそれぞれローラーに対して独立して回転可能な車輪を取り付けてなる複数の引き込みユニットのそれぞれを可撓性で柔軟な連結具を介して連結し、
連結された引き込みユニットを引き込みユニットの各車輪が管路内壁面に摩擦接触するように管路に配置して引き込みユニットを引っ張ることにより、各引き込みユニットを順次管路内に敷設し、
前記敷設した引き込みユニットのローラー上に管ライニング材を載せて引っ張ることにより管ライニング材を管路内に引き込むことを特徴とする。
【発明の効果】
【００１２】
本発明によれば、引き込みユニットには、管路内壁面に摩擦接触して回転することができる車輪が取り付けられているので、複数の引き込みユニットを連結してなる引き込み装置の管路内への敷設が容易になる。
【００１３】
また、管ライニング材は引き込みユニットの車輪と独立して回転可能なローラー上に載せられて引き込まれるので、管ライニング材の引き込みあるいは引き込みユニットの管ライニング材からの引き抜きが円滑に行われる。
【００１４】
また、引き込みユニットは柔軟で可撓性のある連結具を介して連結されるので、全体をコンパクトに束ねることができ、小型の引き込み装置が得られる。
【発明を実施するための最良の形態】
【００１５】
以下、図面に示す実施例に基づいて本発明を詳細に説明する。以下の説明では、管路を２つのマンホール間に敷設された下水道などの本管として説明するが、本発明は、このような本管に限定されるものではなく、管ライニング材を管路内に引き込んで挿入し、該管ライニング材により管路の内壁面をライニングするような場合の引き込みに適用できるものである。また、管路は下水道だけでなく、上水道あるいは農業用水管などの管路にも適用できるものである。
【実施例】
【００１６】
図１には、引き込み装置２０をマンホール１内に搬送して本管３に敷設し、本管３をライニングするための管ライニング材１０を本管３内に引き込む状態が図示されている。
【００１７】
引き込み装置２０は、図２に示したように、可撓性のある柔軟で丈夫な繊維などでできた左右のロープ２２、２２’で縄梯子状に互いに結んで連結された複数の引き込みユニット２１から構成される。
【００１８】
引き込みユニット２１は、図３に示したように、弾力性があり摩擦係数の大きな材質（例えば、硬質ゴムなど）で作製されたローラー２５を有しており、このローラー２５は、シャフト２３に固定された左右の軸受け２４、２４’を介してシャフト２３を軸中心として回転できるようにシャフト２３に取り付けられる。
【００１９】
シャフト２３の一方の端部には、弾力性があり摩擦係数の大きな材質（例えば、硬質ゴムなど）でできた車輪２７がシャフト２３に固定された軸受け２６を介してシャフト２３を中心にシャフト２３に対して回転できるように取り付けられており、またシャフト２３の他方の端部には、車輪２７と同様な材質でできた車輪２７’がシャフト２３に固定された軸受け２６’を介してシャフト２３を中心にシャフト２３に対して回転できるように取り付けられている。このような取り付けにより車輪２７、２７’とローラー２５は互いに独立して回転することが可能となる。
【００２０】
ローラー２５と車輪２７、２７’間のシャフト２３には、ロープガイド２８、２８’が固定される。このロープガイド２８、２８’に沿ってロープ２２、２２’を巻回して結び目を作り、順次次の引き込みユニット２１のロープガイド２８、２８’にロープ２２、２２’を掛け渡すのを繰り返して、図２に示したように、複数の引き込みユニット２１を互いに連結させることができる。
【００２１】
ローラー２５上には、幅が減少するように両端１０ｂ、１０ｃを折りたたまれた管ライニング材１０が載せられるようになっており、このローラー２５に載せられた管ライニング材１０の位置ずれを防止するために、ローラー２５の両端にはフランジ状のつば２９、２９’が取り付けられる。
【００２２】
図１、図２に示したように、最初の引き込みユニット２１には、引っ張りロープ３０が取り付けられ、この引っ張りロープ３０の他端はマンホール２内に設置されたガイドローラー３１並びにマンホール２上に配置されたガイドローラー３２を介して地上のウインチ３３に結合され、ウインチ３３を駆動することにより引っ張りロープ３０を巻き上げて引き込み装置２０を本管３内に搬入することができるようになっている。
【００２３】
また、管ライニング材１０を搬入するマンホール１には、軸受け３５、３５’で軸受けされて回転するガイドローラー３６が設置され、マンホール１の開口部から挿入される管ライニング材１０は、このガイドローラー３６を介して本管２内に導かれ、引き込み装置２０のローラー２５上に載置される。
【００２４】
次に上述のように構成された引き込み装置を用いて管ライニング材を本管内に引き込み本管をライニングする工程を説明する。
【００２５】
本管３を管ライニング材１０を用いてライニングする場合、まず、本管３と接続する一方のマンホール１内に引き込み装置２０を搬入する。このとき、各引き込みユニット２１を図１、図２の右側に図示したように互いに接触するような状態に束ねて全体としてコンパクトな状態にしてマンホール１の開口部よりマンホール１内に搬入する。
【００２６】
続いて、引き込み装置２０の最初の引き込みユニット２１に結束されている引っ張りロープ３０を本管３を通過させ、本管３が終端する側のマンホール２に導き、ガイドローラ３１、３２を周回させて引っ張りロープ３０の他端をウインチ３３に取り付ける。
【００２７】
また、管ライニング材１０をマンホール１内に搬入し、その一端１０ａを最初の引き込みユニット２１のローラー２５に適当な取付具（たとえばロープなど）で取り外しができるように取り付ける。  
【００２８】
なお、管ライニング材１０は、その幅が小さくなるように、例えば、両側端１０ｂ、１０ｃを内側に折り畳んで（図３）、マンホール１に搬入しローラー２５に載せるようにする。
【００２９】
ウインチ３３を作動させて引っ張りロープ３０を引っ張ると、引っ張りロープ３０に結束されている最初の引き込みユニット（図１、図２の最左端の引き込みユニット）２１が、本管３内に移動する。本管３に移動した引き込みユニット２１は、図３に図示したように、左右の車輪２７、２７’が本管３の内周壁面に摩擦接触し、引っ張りロープ３０により引っ張られることから動力を得てシャフト２３を中心にして回転し、本管３内をマンホール２に向かって移動する。
【００３０】
この移動により１番目と２番目の引き込みユニットを結んでいたロープ２２、２２’は緩んだ状態から緊張した状態になる。このとき、２番目の引き込みユニット２１に動力が伝達され、２番目の引き込みユニット２１がマンホール１から本管３内に移動する。このように、本管３内に移動した引き込みユニットは、１番目の引き込みユニットと同様に、その車輪２７、２７’が本管内壁に対して回転することにより本管３内をマンホール２に向かって移動する。以下、同様に、後続する引き込みユニットに至るロープ２２、２２’が伸びきるときに該後続の引き込みユニットが動力を得て順次本管内に移動していく。
【００３１】
各引き込みユニット２１の本管３内への移動につれて、最初の引き込みユニット２１のローラー２５に取り付けられた管ライニング材１０も、各引き込みユニット２１のローラー２５に載って順次マンホール１から本管３内に引き込まれていく。この状態が、図１に示されている。
【００３２】
最初の引き込みユニット２１がマンホール２近辺まで移動したときに、ウインチ３３を停止して引き込みユニット２１を引っ張るのを中止し、管ライニング材１０の先端１０ａと引き込みユニット２１のローラー２５を結合していたロープを解いて、管ライニング材１０と引き込みユニット２１の連結を解除する。
【００３３】
ウインチ３３を再駆動すると、各引き込みユニット２１は、各車輪２７、２７’が本管３の内壁に対して回転するので、マンホール２内に引き込まれていく。一方、各引き込みユニット２１のローラー２５は、管ライニング材１０と摩擦接触しており、引き込みユニット２１が移動すると、管ライニング材１０の重量により各ローラー２５がシャフト２３に対して回転する。各ローラー２５の回転は、車輪２７、２７’の回転と独立しているので、各引き込みユニット２１をマンホール２に向かって移動させると、各引き込みユニット２１を管ライニング材１０から円滑に引き抜くことができる。管ライニング材１０はローラー２５が回転しても管軸方向に移動することなく、各引き込みユニットをマンホール２に回収したときには、本管３の底部に引き下ろされ、管ライニング材１０の本管内への引き込みが完了する。
【００３４】
なお、管ライニング材１０が引き込みユニット２１により本管内に引き込まれれるとき、本管の内壁に凹凸があったり、障害物があると、引き込みユニットが予期しない運動を起こし、管ライニング材１０が傾いたり、ローラー２５からはみ出してしまうことがある。しかし、図３に示したように、引き込みユニット２１には、管ライニング材１０の位置ずれを防止するつば２９、２９’が設けられているので、そのような位置ずれを防止することができる。
【００３５】
管ライニング材１０の本管３内への引き込みが完了すると、管ライニング材１０内へ圧縮空気を供給して管ライニング材を膨張させて本管３の内管壁に押し当てる。そして、この状態で管ライニング材を加温し、そこに含浸された熱硬化性樹脂を硬化させて本管の内周面をライニングして補修を行う。
【００３６】
なお、上述した実施例では、引き込みユニットと管ライニング材は連結されていて、引き込みユニットと管ライニング材の本管への同時引き込みが可能となり、工期を短縮することが可能となる。
【００３７】
しかし、引き込みユニットと管ライニング材を連結させず、最初、上述したような方法で、各引き込みユニット２１を本管内に引き込んでおき、続いて、管ライニング材を本管内に引き込むようにすることもできる。
【００３８】
その場合には、最初の引き込みユニット２１がマンホール２近辺まで引き込まれたときに、引き込みユニット２１を引っ張るのを中止し、マンホール１から管ライニング材１０を挿入してガイドローラー３６を介して本管３内に導き、その先端をマンホール１に最も近い引き込みユニット２１のローラー２５上に載せる。そして、管ランニング材１０の先端に、図１で仮想線で示したように、引っ張りロープ３７を結束させ、この引っ張りロープ３７をウインチ３３で巻き上げる。
【００３９】
管ライニング材１０は、間隔を隔てて本管３内に敷設された各引き込みユニット２１のローラー２５上を順次マンホール２に向かって引き込まれていく。このとき、管ライニング材１０と摩擦接触する各ローラー２５はシャフト２３を中心に回転するので、管ライニング材１０の移動が円滑になり、管ライニング材１０の本管への引き込みが確実になる。
【００４０】
管ライニング材１０を本管内へ引き込んだら、上述したように、各引き込みユニット２１を引っ張って管ライニング材１０から引き抜き、マンホール２内に回収する。各引き込みユニット２１のローラー上に載っていた管ライニング材１０は、各引き込みユニットをマンホール２に回収したときには、本管３の底部に引き下ろされ、管ライニング材１０の本管内への引き込みが完了する。
【図面の簡単な説明】
【００４１】
【図１】管ライニング材を本管内に引き込む状態を示した説明図である。
【図２】引き込み装置の全体の構成を概略示した斜視図である。
【図３】引き込みユニットの縦断面を示した断面図である。
【符号の説明】
【００４２】
１、２    マンホール
３    本管
１０  管ライニング材
２０  引き込み装置
２１  引き込みユニット
２５  ローラー
２７、２７’  車輪
【図１】
2010151202.tif 000003
【図２】
2010151202.tif 000004
【図３】
2010151202.tif 000005